(57)【特許請求の範囲】
【請求項１】
複数の発光ダイオード素子が直列に配列され、互いに直列に接続された複数のＬＥＤモジュールと、
前記発光ダイオード素子を点灯させる照明点灯装置と、
前記照明点灯装置と前記ＬＥＤモジュールのアノード側とを接続する第一配線と、
前記照明点灯装置と前記ＬＥＤモジュールのカソード側とを接続する第二配線とを備え、
前記第一配線の長さは前記第二配線の長さよりも短く、前記ＬＥＤモジュール間を直列に接続する第三配線の長さは前記第二配線の長さよりも短く、前記第一配線の長さは前記第三配線の長さよりも短いことを特徴とするＬＥＤ照明装置。
【請求項２】
前記照明点灯装置は、
前記ＬＥＤモジュールを並列に複数備えた場合に、前記ＬＥＤモジュールそれぞれに電力を供給する複数のコイルを備えたことを特徴とする請求項１に記載のＬＥＤ照明装置。
【請求項３】
前記照明点灯装置は、
前記ＬＥＤモジュールを並列に複数備えた場合に、前記複数のＬＥＤモジュールに流れる電流の量を等しくするバランサを備え、
前記バランサは前記ＬＥＤモジュールよりも低電位側に配置することを特徴とする請求項１又は請求項２のいずれかに記載のＬＥＤ照明装置。
【発明の詳細な説明】
【技術分野】
【０００１】
この発明は、ＬＥＤ照明装置における高周波ノイズの発生を低減する技術に関する。
【背景技術】
【０００２】
ＬＥＤ装置をオン・オフ制御するときには、スイッチング素子から高周波ノイズが発生する。この高周波ノイズはＬＥＤ装置のみならず外部の電気機器にも電波障害等の不具合を引き起こしてしまう。この不具合を解決するために回路基板とＬＥＤ装置の間に高周波ノイズを遮断するシールド材を配置する手段が用いられている（特許文献１）
【先行技術文献】
【特許文献】
【０００３】
【特許文献１】特開２００１−１７７１５４号公報
【発明の概要】
【発明が解決しようとする課題】
【０００４】
この回路基板とＬＥＤ装置の間に高周波ノイズを遮断するシールド材を配置する手段では、回路基板とＬＥＤ装置を接続する配線等から生じる高周波ノイズの発生まで抑えることができないという問題点があった。
【０００５】
この発明は上記した点に鑑みてなされたものであり、回路基板とＬＥＤ装置を接続する配線等から生じる高周波ノイズによる電気機器等への不具合を解消するものである。
【課題を解決するための手段】
【０００６】
この発明に係る照明器具装置は、複数の発光ダイオード素子が直列に配列され、互いに直列に接続された複数のＬＥＤモジュールと、前記発光ダイオード素子を点灯させる照明点灯装置と、前記照明点灯装置と前記ＬＥＤモジュールのアノード側とを接続する第一配線と、前記照明点灯装置と前記ＬＥＤモジュールのカソード側とを接続する第二配線とを備え、前記第一配線の長さは前記第二配線の長さよりも短く、前記ＬＥＤモジュール間を直列に接続する第三配線の長さは前記第二配線の長さよりも短く、前記第一配線の長さは前記第三配線の長さよりも短いことを特徴とする。
【発明の効果】
【０００７】
この発明に係るＬＥＤ照明装置は、回路基板とＬＥＤを接続する配線のうち、高電圧側の配線を低電圧側の配線よりも短くすることで、高周波のノイズの発生を抑制させるという特有の効果を有するものである。
【図面の簡単な説明】
【０００８】
【図１】実施の形態１に係る二つの一列型ＬＥＤモジュールを並列に接続したＬＥＤ照明装置１ａを示す図。
【図２】実施の形態１に係るＬＥＤ照明装置１ａの回路構成を示す図。
【図３】実施の形態１に係る二つの一列型ＬＥＤモジュールを直列に接続したＬＥＤ照明装置１ｂを示す図。
【図４】実施の形態１に係るＬＥＤ照明装置１ｂの回路構成を示す図。
【図５】実施の形態１に係る一つの一列型ＬＥＤモジュールを接続したＬＥＤ照明装置１ｃを示す図。
【図６】実施の形態１に係る四つの一列型ＬＥＤモジュールを直列に二つずつ、かつ、並列に接続したＬＥＤ照明装置１ｄを示す図。
【図７】実施の形態１に係る四つの一列型ＬＥＤモジュールを直列に二つずつ、かつ並列に接続し、四角形型に配置したＬＥＤ照明装置１ｅを示す図。
【図８】実施の形態１に係る二つの 二列型ＬＥＤモジュールを並列に接続したＬＥＤ照明装置１ｆを示す図。
【図９】実施の形態１に係る二つの二列型ＬＥＤモジュールを直列に接続したＬＥＤ照明装置１ｇを示す図。
【図１０】実施の形態１に係る一つの二列型ＬＥＤモジュールを接続したＬＥＤ照明装置１ｈを示す図。
【図１１】実施の形態１に係る四つの二列型ＬＥＤモジュールを直列に二つずつ、かつ、並列に接続したＬＥＤ照明装置１ｉを示す図。
【図１２】実施の形態２に係るＬＥＤ照明装置の回路構成を示す図。
【図１３】実施の形態３に係るＬＥＤ照明装置の回路構成を示す図。
【発明を実施するための形態】
【０００９】
実施の形態１
本発明の実施の形態１のＬＥＤ照明装置１ａについて図１、図２を参照して説明する。
図１は二つの一列型ＬＥＤモジュール２ａ、２ｂを並列に接続したＬＥＤ照明装置１ａを示す図であり、図２は図１のＬＥＤ照明装置１ａの回路構成を示す図である。
ＬＥＤモジュール２ａ、２ｂは複数のＬＥＤ素子２（発光ダイオード素子）が一列に直列に配列されたモジュールである。
【００１０】
図１において、ＬＥＤ照明装置１ａは複数のＬＥＤ素子２が直列に配列された２つの一列型ＬＥＤモジュール２ａ、２ｂを備えており、一列型ＬＥＤモジュール２ａと一列型ＬＥＤモジュール２ｂは並列に接続されている。さらに、ＬＥＤ照明装置１ａはこの一列型ＬＥＤモジュール２ａ、２ｂに実装されたＬＥＤ素子２を点灯させるための電流を一列型ＬＥＤモジュール２ａ、２ｂに供給する照明点灯装置３と、この照明点灯装置３と一列型ＬＥＤモジュール２ａ、２ｂを接続する複数の配線のうち照明点灯装置３の高電位側の接続部と一列型ＬＥＤモジュール２ａ、２ｂのアノード側の接続部を接続する第一配線４ａ、４ｂと、照明点灯装置３と一列型ＬＥＤモジュール２ａ、２ｂを接続する複数の配線のうち照明点灯装置３の低電位側の接続部と一列型ＬＥＤモジュール２ａ、２ｂのカソード側の接続部を接続する第二配線５ａ、５ｂを備えている。
【００１１】
図１のように、一列型ＬＥＤモジュール２ａ、２ｂは縦長の略長方形状の電子基板に複数のＬＥＤ素子２が実装されて構成されている。この電子基板の一端にアノード側の接続部が設けられており、他端にカソード側の接続部が設けられている。
ＬＥＤ照明装置１ａは、照明点灯装置３の高電位側の端子と一列型ＬＥＤモジュール２ａ、２ｂのアノード側のそれぞれの接続部との直線距離が照明点灯装置３の低電位側の端子と一列型ＬＥＤモジュール２ａ、２ｂのカソード側の接続部との直線距離よりも小さくし、ＬＥＤ照明装置１ａは照明点灯装置３と一列型ＬＥＤモジュール２ａを高電位側であるアノード側で接続する第一配線４ａ、４ｂの長さを、照明点灯装置３と一列型ＬＥＤモジュール２ａを低電位側であるカソード側で接続する第二配線５ａ、５ｂの長さよりも短くする構造にしている。
【００１２】
このように高い電圧がかかる第一配線４ａ、４ｂを短くすることで高周波ノイズの発生を低減することができる。また、この構造では第一配線４ａ、４ｂの長さが短く、交流電源６に接続される配線等と交差しないため照明点灯装置３内に有する交流電源６或いは照明点灯装置３へ伝達される高周波ノイズを少なくすることができる。
つまり、アノード側の第一配線４ａ、４ｂをカソード側の第二配線５ａ、５ｂより短くすることで、第一配線４ａ、４ｂから発生するノイズを大幅に低減することができるので、第二配線５ａ、５ｂを長くしたことにより第二配線５ａ、５ｂから発生するノイズが増えたとしても、ＬＥＤ照明装置１ａから発生するノイズの総量を減らすことができる。また、第一配線４ａ、４ｂの長さが短いので、第一配線４ａ、４ｂの周囲にある電子機器に与えるノイズの影響を抑制することができる。
【００１３】
なお、照明点灯装置３が定電流回路の場合、２つの一列型ＬＥＤモジュール２ａ、２ｂを並列接続することで、直列接続する場合に比べて、一列型ＬＥＤモジュール２ａ、２ｂのアノード側に掛かる電圧の大きさを小さく抑えることができるため、アノード側である第一配線４ａ、４ｂから発生するノイズを小さく抑えることができる。
さらに、ＬＥＤ照明装置１ａがほぼ正方形状である場合には、一列型ＬＥＤモジュール２ａ、２ｂを対称な位置に配置し易いのでＬＥＤ照明装置１ａの発生する光出力の分布（配光特性）の対称性が良くなるという利点を有する。
【００１４】
次に、図２を参照してＬＥＤ照明装置１ａの回路構成の一例について説明する。なお、本発明は図２に図示する回路構成に限定されるものではなく、一列型ＬＥＤモジュール２ａ、２ｂに実装されているＬＥＤ素子２を点灯できる回路であればよい。
【００１５】
図２において、照明点灯装置３は入力される商用電源などの交流電源６の交流電圧を直流電圧に変換する直流電源回路７、この直流電源回路７から供給された直流電流からＬＥＤ素子２を点灯させるＬＥＤ点灯回路１０ａとから構成される。
【００１６】
直流電源回路７は全波整流回路８と出力コンデンサ９を備えている。全波整流回路８はダイオードブリッジにより交流電源６から入力される交流電圧を整流して出力する。出力コンデンサ９は全波整流回路８から整流されて出力された整流電圧を直流電圧に平滑してＬＥＤ点灯回路１０ａへ出力する。
【００１７】
ＬＥＤ点灯回路１０ａはバックコンバータと称される回路構成であり、直流電源回路７の出力側に接続されるスイッチング素子１１と、スイッチング素子１１を介して直流電源回路７の出力側と接続されるコイル１２と、スイッチング素子１１とコイル１２の間にカソードが接続された第一ダイオード１３と、２つの一列型ＬＥＤモジュール２ａ、２ｂそれぞれに対して並列に接続される２つのコンデンサ１４ａ、１４ｂと、スイッチング素子１１を制御する出力制御回路１５と、コイル１２に直列に接続されるとともにそれぞれが並列に接続されている２つのバランサ１７ａ、１７ｂと、アノードがバランサ１７ａに接続され、カソードがコンデンサ１４ａの正極及び一方の一列型ＬＥＤモジュール２ａのアノード側と接続された第二ダイオード１８ａと、アノードがバランサ１７ｂに接続され、カソードがコンデンサ１４ｂの正極及び他方の一列型ＬＥＤモジュール２ｂのアノード側と接続された第二ダイオード１８ｂと、２つの一列型ＬＥＤモジュール２ａ、２ｂを流れた電流を検出し、主力制御回路１５へ検出値を出力するための検出抵抗１９から構成されている。出力制御回路１５は検出抵抗１９の出力結果に基づいてスイッチング素子１１を制御する。
なお、スイッチング素子１１はｎチャネルＭＯＳＦＥＴで構成されており、コンデンサ１４ａ、１４ｂは電解コンデンサで構成されている。
【００１８】
スイッチング素子１１は、ドレインが直流電源回路７の出力側に接続され、ソースがコイル１２の一端に接続され、ゲートが出力制御回路１５に接続されている。また、コイル１２の他端とバランサ１７ａ、１７ｂの一端が接続され、このバランサ１７ａ、１７ｂの他端は第二ダイオード１８ａ、１８ｂのアノードが接続されている。
コンデンサ１４ａは、正極が第二ダイオード１８ａのカソード及び一方の一列型ＬＥＤモジュール２ａのアノード側と接続され、負極が一方の一列型ＬＥＤモジュール２ａのカソード側と接続されている。同様に、コンデンサ１４ｂは、正極が第二ダイオード１８ｂのカソード及び他方の一列型ＬＥＤモジュール２ｂのアノード側と接続され、負極が他方の一列型ＬＥＤモジュール２ｂのカソード側と接続されている。
一列型ＬＥＤモジュール２ａはコンデンサ１４ａと並列に接続され、一列型ＬＥＤモジュール２ｂはコンデンサ１４ｂと並列に接続されている。
バランサ１７ａ、１７ｂは共通の磁気回路に設けられたものであり、相等しい電流が流れたときに磁気回路の磁束を打ち消すように作用する巻方向の巻き線を含む。このために２つの一列型ＬＥＤモジュール２ａ、２ｂのそれぞれにほぼ等しい電流を流し、不要な高周波ノイズの発生原因となる漏洩電流を低減することができる。
【００１９】
つづいて、ＬＥＤ点灯回路１０ａの動作について説明する。
主力制御回路１５はスイッチング素子１１のＯＮとＯＦＦを切替える制御を行う。
スイッチング素子１１がＯＮの状態ではスイッチング素子１１→コイル１２→バランサ１７ａとバランサ１７ｂの順に電流が流れる。そして、バランサ１７ａからはバランサ１７ａ→第二ダイオード１８ａ→一方の一列型ＬＥＤモジュール２ａ→検出抵抗１９の順に電流が流れる。同様に、バランサ１７ｂからはバランサ１７ｂ→第二ダイオード１８ｂ→他方の一列型ＬＥＤモジュール２ｂ→検出抵抗１９の順に電流が流れる。
スイッチング素子１１がＯＦＦの状態では第一ダイオード１３→コイル１２→バランサ１７ａとバランサ１７ｂの順に電流が流れる。そして、バランサ１７ａからはバランサ１７ａ→第二ダイオード１８ａ→一方の一列型ＬＥＤモジュール２ａ→検出抵抗１９の順に電流が流れる。同様に、バランサ１７ｂからはバランサ１７ｂ→第二ダイオード１８ｂ→他方の一列型ＬＥＤモジュール２ｂ→検出抵抗１９の順に電流が流れる。
また、検出抵抗１９は第一ダイオード１３のアノードとコンデンサ１４ａ、１４ｂの負極及び並列に接続されている２つの一列型ＬＥＤモジュール２ａ、２ｂのカソード側の間に接続されている。出力制御回路１５は、検出抵抗１９が検出する電流値が所定の値より小さくなると、スイッチング素子１１に電流を流す量を多くする制御（具体的には、ＯＮ状態の間隔を長くする等）を行い、検出値が所定の値より大きくなると、出力制御回路１５はスイッチング素子１１に電流を流す量を少なくする制御（具体的には、ＯＦＦ状態の間隔を長くする等）を行う。つまり、出力制御回路１５はスイッチング素子１１をＰＷＭ（Ｐｕｌｓｅ  Ｗｉｄｔｈ  Ｍｏｄｕｌａｔｉｏｎ）制御する。
以上のように構成された照明点灯装置３は、第一配線４ａ、４ｂ、第二配線５ａ、５ｂを介してＬＥＤ点灯回路１０ａから一列型ＬＥＤモジュール２ａ、２ｂに電流を流すことで一列型ＬＥＤモジュール２ａ、２ｂを点灯させることができる。
【００２０】
このように図２で示したＬＥＤ照明装置の回路構成を図１で示したＬＥＤ照明装置１aに採用することで高周波ノイズの発生を抑制させることができる。
【００２１】
つづいて、図３、図４を参照して本実施の形態１の別の形態である二つの一列型ＬＥＤモジュール２１ａ、３１ａを直列に接続したＬＥＤ照明装置１ｂについて説明する。
図３は実施の形態１に係る二つの一列型ＬＥＤモジュール２１ａ、３１ａを直列に接続したＬＥＤ照明装置１ｂを示す図であり、図４はＬＥＤ照明装置１ｂの回路構成を示す図である。
なお、互いに直列に接続されている一列型ＬＥＤモジュール２１ａ、３１ａのうち、一列型ＬＥＤモジュール２１ａが高電位側に，一列型ＬＥＤモジュール３１ａが低電位側に接続されている。
【００２２】
図３において、ＬＥＤ照明装置１ｂは直列に配列された一列型ＬＥＤモジュール２１ａ、３１ａと、この一列型ＬＥＤモジュール２１ａ、３１ａに実装されたＬＥＤ素子２を点灯させるための電流を一列型ＬＥＤモジュール２１ａ、３１ａに供給する照明点灯装置３と、この照明点灯装置３と一列型ＬＥＤモジュール２１ａ、３１ａを接続する複数の配線のうち照明点灯装置３の高電位側の接続部と一列型ＬＥＤモジュール２１ａのアノード側を接続する第一配線２４と、照明点灯装置３と一列型ＬＥＤモジュール３１ａを接続する複数の配線のうち照明点灯装置３の低電位側の接続部と一列型ＬＥＤモジュール３１ａのカソード側を接続する第二配線２５と、一列型ＬＥＤモジュール２１ａのカソード側と一列型ＬＥＤモジュール３１ａのアノード側を接続する第三配線２６を備えている。
第一配線２４に掛かる電圧Ｖ１、第二配線２５に掛かる電圧Ｖ２、第三配線２６に掛かる電圧Ｖ３を比較すると、Ｖ１＞Ｖ２＞Ｖ３となる。
【００２３】
図３のように、一列型ＬＥＤモジュール２１ａ、３１ａは縦長の略長方形状の電子基板に複数のＬＥＤ素子２がそれぞれ実装されて構成されている。これら電子基板の一端にアノード側の接続部が設けられており、他端にカソード側の接続部が設けられている。
一列型ＬＥＤモジュール２１ａは、照明点灯装置３に対して、一列型ＬＥＤモジュール３１ａより近い位置に配置されており、かつ、照明点灯装置３の高電位側の端子と一列型ＬＥＤモジュール２１ａのアノード側の接続部との直線距離が照明点灯装置３の低電位側の端子と一列型ＬＥＤモジュール３１ａのカソード側の接続部との直線距離よりも小さくなるように配置されている。さらに、一列型ＬＥＤモジュール２１ａと一列型ＬＥＤモジュール３１ａはアノード側の接続部とカソード側の接続部が反転するように長手方向において並列に配置されている。つまり、一列型ＬＥＤモジュール２１ａのアノード側の接続部と一列型ＬＥＤモジュール３１ａのカソード側の接続部との直線距離と、一列型ＬＥＤモジュール２１ａのカソード側の接続部と一列型ＬＥＤモジュール３１ａのアノード側の接続部との直線距離とが、ほぼ等しくなっている。
【００２４】
このように構成することにより、ＬＥＤ照明装置１ｂは照明点灯装置３と一列型ＬＥＤモジュール２１ａを高電位側であるアノード側で接続する第一配線２４の長さを、照明点灯装置３と一列型ＬＥＤモジュール３１ａを低電位側であるカソード側で接続する第二配線２５の長さよりも短くする構造にしている。さらに、一列型ＬＥＤモジュール２１ａのアノード側の接続部が一列型ＬＥＤモジュール３１ａのアノード側の接続部よりカソード側の接続部に近い位置にあるので、中電位になる第三配線２６の長さを第二配線２５の長さより短くすることができる。
【００２５】
第一配線２４の長さＬ１、第二配線２５の長さＬ２、第三配線２６の長さＬ３の長さを比較すると、Ｌ１＜Ｌ２、Ｌ３＜Ｌ２の関係となる。なお、これらの関係に加えてＬ１＜Ｌ３となるように照明点灯装置３に対して一列型ＬＥＤモジュール２１ａ、３１ａを配置することが望ましい。
【００２６】
このように高い電圧がかかる第一配線２４を第二配線２５より短くする、つまり、低い電圧がかかる第二配線２５を最も長くすることで高周波ノイズの発生を低減することができる。さらに、第一配線２４を中電位がかかる第三配線２６より短くすることでノイズを低減することができる。
【００２７】
アノード側の第一配線２４を第二配線２５より短く、第三配線２６を第二配線２５より短くすることで、第一配線２４と第三配線２６から発生するノイズを大幅に低減することができるので、第二配線２５を長くしたことにより第二配線２５から発生するノイズが増えたとしても、ＬＥＤ照明装置１ｂから発生するノイズの総量を減らすことができる。また、第一配線２４と第三配線２６の長さが短いので、第一配線２４と第三配線２６の周囲にある電子機器に与えるノイズの影響を抑制することができる。
【００２８】
また、この構造では第一配線２４の長さが短く、交流電源６に接続される配線等と交差しないため、交流電源６或いは照明点灯装置３へ伝達される高周波ノイズを少なくすることができる。
【００２９】
なお、一列型ＬＥＤモジュール２１ａ、３１ａを直列接続することで、並列接続する場合に比べて照明点灯装置３から一列型ＬＥＤモジュール２１ａ、３１ａ及び一列型ＬＥＤモジュール２１ａ、３１ａ間のトータルの配線長を短くすることができるので外部に漏れるノイズを少なくすることができる。この回路構成を採用することで高周波ノイズによる電気機器等への不具合を解消することができる。さらに、バランサ等を用いる必要がないため回路の構成が簡単になるという利点も有する。
【００３０】
図４については、前述した図２の回路構成との相違点のみを説明する。
図４に記載のＬＥＤ点灯装置１０ｂは接続する一列型ＬＥＤモジュール２１ａ、３１ａは直列に接続されているため、図２に記載したバランサ１７ａ、１７ｂ及び第二ダイオード１８ａ、１８ｂを備えていない。
そして、互いに直列に接続されている一列型ＬＥＤモジュール２１ａ、３１ａに対して一つのコンデンサ１４ｃが並列に接続されている。
【００３１】
図１では２つの一列型ＬＥＤモジュール２ａ、２ｂを、図３では２つの一列型ＬＥＤモジュール２１ａ、３１ａを備えた構成のＬＥＤ照明装置１ａ，１ｂについて説明したが、図５で示すＬＥＤ照明装置１ｃのように、一列型ＬＥＤモジュール２０を一つしか備えない構成であってもよい。この構成にすると、ＬＥＤ照明装置１ａ，１ｂと比較してアノード側の電圧が小さくなり、かつ、バランサ等の外部にノイズが漏れ出す要因を少なく抑えることができるため、高周波ノイズによる電気機器等への不具合を解消することができる。
【００３２】
図６は四つの一列型ＬＥＤモジュール２２ａ、２２ｂ、３２ａ、３２ｂを直列に二つずつ、かつ、並列に接続したＬＥＤ照明装置１ｄを示す図である。ＬＥＤ照明装置１ｄでは、一列型ＬＥＤモジュール２２ａ、３２ａを直列に接続し、同様に一列型ＬＥＤモジュール２２ｂ、３２ｂを直列に接続している。そして、この直列に接続された２つの一列型ＬＥＤモジュール２２ａ、３２ａの組と一列型ＬＥＤモジュール２２ｂ、３２ｂの組みを並列に接続している。一列型ＬＥＤモジュール２２ａ、２２ｂが高電位側であり、一列型ＬＥＤモジュール３２ａ、３２ｂが低電位側である。
照明点灯装置３の高電位側の接続部と一列型ＬＥＤモジュール２２ａ、２２ｂのアノード側を接続する第一配線２４ａ、２４ｂと、照明点灯装置３の低電位側の接続部と一列型ＬＥＤモジュール３２ａ、３２ｂのカソード側を接続する第二配線２５ａ、２５ｂと、一列型ＬＥＤモジュール２２ａ、２２ｂのカソード側と一列型ＬＥＤモジュール３２ａ、３２ｂのアノード側を接続する第三配線２６ａ、２６ｂを備えている。
この構成を採用することでＬＥＤ照明装置１ｄは、一列型ＬＥＤモジュール２ａが二つの場合と比べて、より明るさを得ることができる。
【００３３】
図７はＬＥＤ照明装置１ｄの別の形態を示す図であり、４つの一列型ＬＥＤモジュール２２ａ、２２ｂ、３２ａ、３２ｂを四角形型に配置したＬＥＤ照明装置１ｅを示す。ＬＥＤ照明装置１ｅの回路構成はＬＥＤ照明装置１ｄと同じであるが、ＬＥＤ照明装置１ｅは一列型ＬＥＤモジュールの配置構成がＬＥＤ照明装置１ｄと異なる。
ＬＥＤ照明装置１ｅの照明点灯装置３は略直方体形状をしており、長手方向の一端に交流電源６と接続される端子が設けられており、長手方向の他端に一列型ＬＥＤモジュール２２ａ、２２ｂのアノード側と接続される端子及び一列型ＬＥＤモジュール３２ａ、３２ｂのカソード側と接続される端子が設けられている。
４つの一列型ＬＥＤモジュール２２ａ、２２ｂ、３２ａ、３２ｂは四角形型に配置されており、照明点灯装置３の長手方向が四角形型に配置された一列型ＬＥＤモジュール２２ａ、２２ｂ、３２ａ、３２ｂの対角線と略一致する或いは並行になるように配置されている。
４つの一列型ＬＥＤモジュール２２ａ、２２ｂ、３２ａ、３２ｂが形成する四角形の一角の近傍に照明点灯装置３の高電位側の出力端子が配置されており、この一角の近傍にアノード側の接続部の配置するように一列型ＬＥＤモジュール２２ａ、２２ｂが設けられている。そして、照明点灯装置３の高電位側の出力端子が配置されている対角に照明点灯装置３の低電位側の出力端子が配置されており、この低電位側の出力端子が配置されている角の近傍にカソード側の出力端子が位置するように一列型ＬＥＤモジュール３２ａ、３２ｂが設けられている。
【００３４】
この配置を採用することで四角形型に配置された一列型ＬＥＤモジュール２２ａ、２２ｂ、３２ａ、３２ｂの四角形内側に照明点灯装置３を配置できるためＬＥＤ照明装置１ｅ全体の大きさを小さくすることができる。
また、第二配線２５ａ、２５ｂは長くなるが、第一配線２４ａ、２４ｂを短くすることができるので、発生するノイズを総合的に低減することができる。
尚、照明点灯装置３の低電位側の出力端子を高電位側の出力端子とは反対側の端に配置すれば、第二配線２５ａ、２５ｂの長さも短くすることができるので、ノイズをさらに減らすことができる。
【００３５】
図８は二つの二列型ＬＥＤモジュール４０ａ、４０ｂ（ＬＥＤモジュールを形成するＬＥＤ素子２が一端で折り返すことで二列に直列に配列されたＬＥＤモジュール）を並列に接続したＬＥＤ照明装置１ｆを示す図である。二列型ＬＥＤモジュール４０ａ、４０ｂ内においては、ＬＥＤモジュールを形成するＬＥＤ素子２が二列型ＬＥＤモジュール４０ａ、４０ｂ内の一端で折り返すことで二列に直列に配列されているため、第一配線３４ａ、３４ｂ及び第二配線３５ａ、３５ｂは同一側で接続される。
したがって、二列型ＬＥＤモジュール４０ａ、４０ｂのカソード側の接続部もアノード側の接続部と同様に照明点灯装置３の低電位側の出力端子に近づけて配置することができるので、第二配線３５ａ、３５ｂを一列型ＬＥＤモジュール２ａ、２ｂに用いる第二配線５ａ、５ｂの長さよりも短くすることができるため、カソード側のわずかに生じる高周波ノイズによる電気機器等への不具合を解消することができる。
また、ＬＥＤ照明装置１ｆは二列型ＬＥＤモジュール４０ａ、４０ｂを用いることで一列型ＬＥＤモジュール２ａ、２ｂを用いるよりも、より明るさを得ることが可能である。
また、二列型ＬＥＤモジュール４０ａ、４０ｂのアノード側の端子をカソード側の端子より照明点灯装置３の出力端子に近い位置にくるように二列型ＬＥＤモジュール４０ａ、４０ｂを配置しているので、第一配線３４ａ、３４ｂの長さを第二配線３５ａ、３５ｂの長さより短くすることができ、第一配線３４ａ、３４ｂから生じるノイズを低減することができる。
【００３６】
図９は二つの二列型ＬＥＤモジュール４１ａ、５１ａを直列に接続したＬＥＤ照明装置１ｇを示す図であり、図１０は一つの二列型ＬＥＤモジュール４０を接続したＬＥＤ照明装置１ｈを示す図であり、図１１は四つの二列型ＬＥＤモジュール４２ａ、５２ａ、４２ｂ、５２ｂを直列に二つずつ、かつ、並列に接続したＬＥＤ照明装置１ｉを示す図である。これらはそれぞれ、図３、図５、図６の構成とＬＥＤモジュールの種類以外は同一である。そのため、図９、図１０、図１１で示すＬＥＤ照明回路１ｇ、１ｈ、１ｉは図３、図５、図６よりも、より明るさを得ることができる。
【００３７】
なお、実施の形態１では、一列型と二列型のＬＥＤモジュールを用いた照明装置について説明したが、使用するＬＥＤモジュールの種類及び配置は上記したものに限らず、照明点灯装置３の高電位側と接続される第一配線の長さが低電位側と接続される第二配線５の長さよりも短くなる構成であればよい。
【００３８】
実施の形態２
本発明の実施の形態２について図１２を参照して説明する。
図１２に示すように、実施の形態２の照明点灯装置３ｃは、実施の形態１に係る照明点灯装置３ａのコイル１２を二つに分割して配置したものである。
【００３９】
以下、実施の形態１との相違点のみを説明する。
図１２に係る照明点灯装置３ｃは、実施の形態１の図２に係る照明点灯装置３のコイル１２を二つに分割して、コイル１２ａ、１２ｂとし、それぞれ並列に接続された一列型ＬＥＤモジュール２ａ、２ｂに電流を供給する配置をしている。さらに、実施の形態１の図２に係る第一ダイオード１３に相当するものとして図１２では第一ダイオード１３ａ、１３ｂを備える。この構成においてはコイル１２ａ、１２ｂは並列に接続されたそれぞれの一列型ＬＥＤモジュール２ａ、２ｂに電力を供給するのでコイル１２ａ、１２ｂのそれぞれが負担する電力は小さくなるため小形なものを使用できる。したがって、コイル１２ａ、１２ｂから発生する高周波ノイズを低減することができる。
なお、２つのＬＥＤモジュール２ａ、２ｂの電流値に差異が生じようとしてもコイル１２ａ、１２ｂに流入する電流を相等しくしようとするバランサ１７ａ、１７ｂの作用によりＬＥＤモジュール２ａ、２ｂの相互の電流をほぼ等しくすることができる。
【００４０】
このように図１２で示したＬＥＤ点灯回路１０ｃの回路構成を図１で示したＬＥＤ照明装置１ａに採用することで高周波のノイズの発生を抑制させることができる。
【００４１】
実施の形態３
本発明の実施の形態３について図１３を参照して説明する。
図１３に示すように、実施の形態３に係る照明点灯装置３は、実施の形態１に係る照明点灯装置３のバランサ１７ａ、１７ｂをＬＥＤモジュール２ａ、２ｂよりも低電位側に配置したものである。
【００４２】
以下、実施の形態１との相違点のみを説明する。
図１３の回路構成は、バランサ１７ａ、１７ｂを２つのＬＥＤモジュール２ａ、２ｂよりも低電位側に配置しており、さらに、このバランサ１７ａ、１７ｂの配置の変更に伴い第二ダイオード１８ａ、１８ｂの極性は実施の形態１と同じであるが接続位置を変更している。このようにバランサ１７ａ、１７ｂをより低電位側に配置することで高周波ノイズの発生を低減することができる。
【００４３】
なお、実施の形態２で示したコイル１２ａ、１２ｂを実施の形態３に応用するには図１３における第一ダイオード１３に接続されたコイル１２の代わりに、コイル１２ａ、コイル１２ｂを接続する。コイル１２ａの場合は第二ダイオード１８ａのカソードとバランサ１７ａとの間または第二ダイオード１８ａのアノード側に接続し、コイル１２ｂの場合は第二ダイオード１８ｂのカソードとバランサ１７ｂとの間または第二ダイオード１８ｂのアノード側に接続する。
このようにコンデンサ１４ａとＬＥＤモジュール２ａが形成する並列回路に対して直列にコイル１２ａを接続すればよい。同様に、コンデンサ１４ｂとＬＥＤモジュール２ｂが形成する並列回路に対して直列にコイル１２ｂを接続すればよい。
【００４４】
以上のように、バランサ１７ａ、１７ｂを低電位側に設けたことにより、低電位側からの高周波ノイズの発生をさらに抑制することで、高周波ノイズの発生を低減することができる。
さらに、実施の形態２と同様にコイル１２をコイル１２ａ、１２ｂに分割して設けることにより、コイル１２ａ、１２ｂのそれぞれが負担する電力は小さくなるため、コイル１２ａ、１２ｂを小形化することができる。
【符号の説明】
【００４５】
１ａ・１ｂ・１ｃ・１ｄ・１ｅ・１ｆ・１ｇ・１ｈ・１ｉ  ＬＥＤ照明装置、
２  ＬＥＤ素子、
２ａ・２ｂ・２０・２１ａ・３１ａ・２２ａ・２２ｂ・３２ａ・３２ｂ  一列型ＬＥＤモジュール、
４０・４０ａ・４０ｂ・４１ａ・４２ａ・４２ｂ・５１ａ・５２ａ・５２ｂ  二列型ＬＥＤモジュール、
３・３ａ・３ｂ・３ｃ  照明点灯装置、
４・４ａ・４ｂ・２４・２４ａ・２４ｂ・３４ａ・３４ｂ  第一配線、
５・５ａ・５ｂ・２５・２５ａ・２５ｂ・３５ａ・３５ｂ  第二配線、
２６・２６ａ・２６ｂ  第三配線
６  交流電源、
７  直流電源回路、
８  全波整流回路、
９  出力コンデンサ、
１０ａ・１０ｂ・１０ｃ  ＬＥＤ点灯回路、
１１  スイッチング素子、
１２・１２ａ・１２ｂ  コイル、
１３・１３ａ・１３ｂ  第一ダイオード、
１４ａ・１４ｂ・１４ｃ  コンデンサ、
１５  出力制御回路、
１７ａ・１７ｂ  バランサ、
１８ａ・１８ｂ  第二ダイオード、
１９  検出抵抗、
【図１】
0006035766.tif 000002
【図２】
0006035766.tif 000003
【図３】
0006035766.tif 000004
【図４】
0006035766.tif 000005
【図５】
0006035766.tif 000006
【図６】
0006035766.tif 000007
【図７】
0006035766.tif 000008
【図８】
0006035766.tif 000009
【図９】
0006035766.tif 000010
【図１０】
0006035766.tif 000011
【図１１】
0006035766.tif 000012
【図１２】
0006035766.tif 000013
【図１３】
0006035766.tif 000014